(57)【要約】【課題】ウィンドウに複数の表示コンテンツを切り替えて表示することが可能なコンテンツ表示装置を提供すること。【解決手段】複数のタブを表示するタブ表示領域、及び放送あるいはネットワークを介して配信される番組を含むコンテンツを表示するコンテンツ表示領域を有する表示手段と、表示手段のタブ表示領域に表示された複数のタブから１つのタブを選択する選択手段と、選択手段によるタブの選択に応じて、表示手段のコンテンツ表示領域に表示されるコンテンツを、当該選択されたタブに対応するコンテンツに切り替える表示切り替え手段と、コンテンツを予約コンテンツとして設定するコンテンツ予約手段と、予約コンテンツに対応する予約時刻を設定する予約時刻設定手段と、予約時刻となったら、タブ表示領域に前記予約コンテンツに対応した新規タブを追加表示させるタブ追加手段と、を備える。【選択図】      図１
2009016966.tif 000002
【特許請求の範囲】
【請求項１】
複数のタブを表示するタブ表示領域、及び放送又はネットワークを介して配信される番組を含むコンテンツを表示するコンテンツ表示領域を有する表示手段と、
前記表示手段の前記タブ表示領域に表示された複数のタブから１つのタブを選択するタブ選択手段と、
前記タブ選択手段によるタブの選択に応じて、前記表示手段の前記コンテンツ表示領域に表示されるコンテンツを、当該選択されたタブに対応するコンテンツに切り替える表示切り替え手段と、
コンテンツを予約コンテンツとして設定するコンテンツ予約手段と、
前記予約コンテンツに対応する予約時刻を設定する予約時刻設定手段と、
前記予約時刻となったら、前記タブ表示領域に前記予約コンテンツに対応した新規タブを追加表示させるタブ追加手段と、
を備えたコンテンツ表示装置。
【請求項２】
前記表示切り替え手段は、前記予約時刻になったら、前記コンテンツ表示領域に表示されるコンテンツを、前記予約コンテンツに切り替える、請求項１に記載のコンテンツ表示装置。
【請求項３】
前記表示切り替え手段は、前記タブ選択手段によって前記新規タブが選択された場合に、前記コンテンツ表示領域に表示されるコンテンツを、前記予約コンテンツに切り替える、請求項１に記載のコンテンツ表示装置。
【請求項４】
前記タブ表示領域に、所定のタブを常に表示させておくタブ表示制御手段を、
さらに備えた請求項１に記載のコンテンツ表示装置。
【請求項５】
前記コンテンツ予約手段は、放送あるいはネットワークを介して配信される番組を前記予約コンテンツとして設定し、
前記予約時刻設定手段は、前記番組の配信開始時刻に基づいて前記予約時刻を設定し、
前記表示切り替え手段は、前記配信開始時刻となったら、前記コンテンツ表示領域に表示されるコンテンツを、前記予約コンテンツとして設定された前記番組に切り替える、請求項２に記載のコンテンツ表示装置。
【請求項６】
前記コンテンツ予約手段は、放送あるいはネットワークを介して配信される番組を予約コンテンツとして設定し、
前記予約時刻設定手段は、前記番組の配信開始時刻に基づいて前記予約時刻を設定し、
前記番組を、記憶部に記憶させる番組録画手段と、
前記番組の配信開始時刻となったら、前記番組録画手段に前記番組の記憶を開始させる録画制御手段と、
をさらに備えた請求項１に記載のコンテンツ表示装置。
【請求項７】
前記表示切り替え手段は、前記配信開始時刻となったら、前記コンテンツ表示領域に表示されるコンテンツを、前記予約コンテンツとして設定された前記番組に切り替える、請求項６に記載のコンテンツ表示装置。
【請求項８】
前記録画手段が前記番組の記憶を行っており、かつ前記コンテンツ表示領域に前記番組が表示されている場合に、前記タブ選択手段によるタブの選択に応じて、前記番組の表示中断箇所を示す中断情報を記憶する記憶手段をさらに備え、
前記表示切り替え手段は、前記タブの選択に応じて、前記表示手段の前記コンテンツ表示領域に表示されるコンテンツを当該選択されたタブに対応するコンテンツに切り替える、請求項７に記載のコンテンツ表示装置。
【請求項９】
前記表示切り替え手段は、前記タブ選択手段によるタブの選択に応じて、前記コンテンツ表示領域に、前記記憶手段に記憶された前記中断情報が示す中断箇所から、前記番組を表示させる、請求項８に記載のコンテンツ表示装置。
【発明の詳細な説明】
【技術分野】
【０００１】
本発明は複数のコンテンツを１ウィンドウ内に表示するコンテンツ表示装置に関する。
【背景技術】
【０００２】
タブ機能を用いて放送コンテンツを閲覧する技術として、特許文献１には、マークアップランゲージ文書を閲覧するためのブラウザプログラムが記載されている。当該ブラウザプログラムは、ディスプレイ装置によって提供される表示領域上に複数のウィンドウを重ね合わせて表示する。また、各ウィンドウに対応するタブも表示領域上に設けられ、タブが操作されると、操作されたタブに対応するウィンドウが最上位層で表示される。このタブ操作は、操作手段に設けられたウィンドウと同数のボタンを用いて行われる。
【０００３】
また、特許文献２には、テレビ放送の予約視聴と他の動作モードとの衝突を回避するテレビ付き携帯端末装置が記載されている。この携帯端末装置では、視聴を予約した番組の開始時刻に他の動作モードが実行中であれば、テレビ放送の視聴と実行中の動作モードを並存させる、一方を一時的に停止する、一方を代替動作させるなどの制御を、当該動作モードの種類に応じて行うことができる。テレビ放送の視聴及び実行中の動作モードの並存は、ディスプレイを分割する、あるいは複数のディスプレイを使用することによって可能となる。
【特許文献１】国際公開第２００４／０８４０５６号パンフレット（第１０頁、図１２）
【特許文献２】特開２００６−２０２８７号公報（段落００４８、第１０頁、図７）
【発明の開示】
【発明が解決しようとする課題】
【０００４】
上述の特許文献１に記載されたブラウザプログラムでは、１つの表示領域内に、コンテンツを切り替えて表示することができ、メモリやシステムリソースの消費は少なくてすむ。しかしながら、当該ブラウザプログラムは、放送番組の予約視聴、予約録画を行う機能を有していない。
【０００５】
上述の特許文献２に記載されたテレビ付き携帯端末装置では、テレビ放送の予約視聴が可能である。当該テレビ付き携帯端末装置では、ディスプレイを分割する、あるいは複数のディスプレイを使用することによって番組視聴及び実行中の動作モードの並存が可能となる。しかしながら、ディスプレイの分割、あるいは複数のディスプレイの使用によって両モードを並存させると、メモリやシステムリソースの消費量が多くなってしまう。実行中の動作モードを一時停止する場合には、当該動作モードの一時停止に時間がかかり、予約視聴の開始が遅れてしまうことがある。
【０００６】
本発明は、前記のような問題に鑑みなされたもので、番組の予約視聴が可能でかつ１つのウィンドウに複数の表示コンテンツを切り替えて表示することが可能なコンテンツ表示装置を提供することを目的とする。
【課題を解決するための手段】
【０００７】
本発明に係るコンテンツ表示装置は、複数のタブを並列に表示するタブ表示領域、及び放送あるいはネットワークを介して配信される番組を含むコンテンツを表示するコンテンツ表示領域を有する表示手段と、表示手段のタブ表示領域に表示された複数のタブから１つのタブを選択するタブ選択手段と、選択手段によるタブの選択に応じて、表示手段のコンテンツ表示領域に表示されるコンテンツを、当該選択されたタブに対応するコンテンツに切り替える表示切り替え手段と、コンテンツを予約コンテンツとして設定するコンテンツ予約手段と、予約コンテンツに対応する予約時刻を設定する予約時刻設定手段と、予約時刻となったら、タブ表示領域に前記予約コンテンツに対応した新規タブを追加表示させるタブ追加手段と、を備える。
【発明の効果】
【０００８】
本発明のコンテンツ表示装置によれば、タブ表示領域内に表示された複数のタブから１つを選択することで、コンテンツ表示領域に複数のコンテンツを切り替えて表示することができる。また、予約コンテンツ及び当該予約コンテンツに対応する予約時刻を設定することができ、当該予約時刻になると、当該予約コンテンツに対応する新規タブがタブ表示領域に表示される。このため、当該新規タブが選択されれば、当該予約コンテンツをコンテンツ表示領域に表示することができる。
【発明を実施するための最良の形態】
【０００９】
以下、図面を参照して本発明によるコンテンツ表示装置の実施形態を説明する。
【００１０】
第１の実施形態
図１は、本発明によるコンテンツ表示装置の実施形態に係る放送受信装置１１の電気的構成を示すブロック図である。
【００１１】
この放送受信装置１１は、装置各部の動作を制御する制御部５６を備えている。制御部５６は、ＣＰＵ（Central Processing Unit）等を内蔵している。制御部５６は、操作部１６から入力される操作信号や、リモートコントローラ１７から送信され受光部１８を介して受信される操作信号に応じて、ＲＯＭ５７に予め記憶されたシステム制御プログラム及び各種処理プログラムを起動させる。制御部５６は、起動したプログラムに従って、ＲＡＭ５８をワークメモリとして装置各部の動作を制御する。各部の動作制御に必要な各種の設定情報及び制御情報等は、不揮発性メモリ５９に格納される。
【００１２】
リモートコントローラ１７には、電源キー、入力切換キー、衛星デジタル放送チャンネルのダイレクト選局キー、地上波放送チャンネルのダイレクト選局キー、クイックキー、カーソルキー、決定キー、番組表キー、ページ切換キー、チャンネルアップダウンキー、音量調整キー等が設けられている。
【００１３】
ＢＳ／ＣＳデジタル放送受信用のアンテナ４３は、衛星デジタルテレビジョン放送信号を受信する。受信されたデジタル放送信号は、入力端子４４を介して衛星デジタル放送用のチューナ４５に供給される。チューナ４５は、受信したデジタル放送信号のチューニングを行い、チューニングしたデジタル放送信号をＰＳＫ（Phase Shift Keying）復調器４６に送信する。ＰＳＫ復調器４６はデジタル放送信号の復調を行い、復調したデジタル放送信号を信号処理部４７に出力する。
【００１４】
地上デジタル放送受信用のアンテナ４８は、地上デジタルテレビジョン放送信号を受信する。受信されたデジタル放送信号は、入力端子４９を介して地上デジタル放送用のチューナ５０に供給される。チューナ５０は、受信したデジタル放送信号のチューニングを行い、チューニングしたデジタル放送信号をＯＦＤＭ（Orthogonal Frequency Division Multiplexing）復調器５１に送信する。ＯＦＤＭ復調器５１はデジタル放送信号の復調を行い、復調したデジタル放送信号を上記信号処理部４７に出力する。
【００１５】
アンテナ４８は、地上波アナログ放送信号も受信可能である。受信された地上波アナログ放送信号は、図示しない分配器によって分配されて、アナログチューナ６８に供給される。アナログチューナ６８は、受信したアナログ放送信号のチューニングを行い、チューニングしたアナログ放送信号をアナログ復調器６９に送信する。アナログ復調器６９はアナログ放送信号の復調を行い、復調したアナログ放送信号を信号処理部４７に出力する。
【００１６】
信号処理部４７は、ＰＳＫ復調器４６およびＯＦＤＭ復調器５１から出力されたデジタル放送信号に、適切なデジタル信号処理を施す。デジタル放送信号は、データ信号、映像信号及び音声信号に分離される。分離された映像信号はグラフィック処理部５２に、音声信号は音声処理部５３に出力される。信号処理部４７は、アナログ復調器６９から出力された放送信号を、所定のフォーマットのデジタルの映像信号及び音声信号に変換する。デジタルに変換された映像信号はグラフィック処理部５２に、音声信号は音声処理部５３に出力される。また信号処理部４７は、ライン入力端子からの入力信号にも所定のデジタル信号処理を施す。
【００１７】
ＯＳＤ（On Screen Display）信号生成部５４は、制御部５６の制御に従って、ＵＩ（ユーザ・インタフェース）画面などを表示するためのＯＳＤ信号を生成する。また上述の信号処理部４７において、デジタル放送信号から分離されたデータ信号は、ＯＳＤ（On Screen Display）信号生成部５４により適切なフォーマットのＯＳＤ信号に変換され、グラフィック処理部５２に出力される。
【００１８】
グラフィック処理部５２は、信号処理部４７から出力されるデジタルの映像信号のデコード処理を行う。デコードされた映像信号は、ＯＳＤ信号生成部５４から出力されたＯＳＤ信号と重ね合わせて合成され、映像処理部５５に出力される。グラフィック処理部５２は、デコードされた映像信号またはＯＳＤ信号を、映像処理部５５に選択的に出力することもできる。また、映像信号及びＯＳＤ信号がそれぞれ画面の半分を構成するように組み合わせて出力することもできる。
【００１９】
映像処理部５５は、グラフィック処理部５２から入力された信号を、映像表示器１４で表示可能なフォーマットのアナログ映像信号に変換する。アナログに変換された映像信号は、映像表示器１４に出力され、表示される。
【００２０】
音声処理部５３は、入力された音声信号を、スピーカ１５で再生可能なフォーマットのアナログ音声信号に変換する。アナログに変換された音声信号は、スピーカ１５に出力されて再生される。
【００２１】
カードホルダ６１は、カードＩ／Ｆ（Interface）６０を介して制御部５６に接続されている。第１のメモリカード１９は、このカードカードホルダ６１に装着可能である。第１のメモリカード１９は、例えばＳＤ（Secure Digital）メモリカード、ＭＭＣ（Multimedia Card）及びメモリスティック等の記憶媒体である。カードホルダ６１に装着された第１のメモリカード１９、及び制御部５６は、カードＩ／Ｆ６０を介して情報の伝達を行なうことができる。制御部５６は、第１のメモリカード１９に、画像や音楽、放送番組等のデータを格納することができる。また制御部５６は、第１のメモリカード１９に格納された画像や音楽、放送番組等のデータを読み出して、映像表示器１４に表示させたり、スピーカ１５から音声出力させたりすることができる。
【００２２】
カードホルダ６３は、カードＩ／Ｆ６２を介して制御部５６に接続されている。第２のメモリカード２０は、このカードホルダ６３に装着可能である。第２のメモリカード２０は、例えば放送受信契約の契約情報等を記憶する記憶媒体である。カードホルダ６３に装着された第２のメモリカード２０、及び制御部５６は、カードＩ／Ｆ６２を介して情報の伝達を行なうことができる。
【００２３】
第１のＬＡＮ端子２１は、通信Ｉ／Ｆ６４を介して制御部５６に接続されている。第１のＬＡＮ端子２１は、イーサネット（登録商標）を用いたＬＡＮ対応ＨＤＤ専用ポートとして使用される。第１のＬＡＮ端子２１にＬＡＮ対応のＨＤＤがＮＡＳ（Network Attached Storage）として接続された場合、当該ＨＤＤ及び制御部５６は、通信Ｉ／Ｆ６４を介して、情報の伝達を行うことができる。この場合、制御部５６は、ＤＨＣＰ（Dynamic Host Configuration Protocol）サーバとして機能し、第１のＬＡＮ端子２１に接続された当該ＬＡＮ対応のＨＤＤにＩＰ（Internet Protocol）アドレスを割り当てて制御している。
【００２４】
制御部５６は、当該ＨＤＤに画像や音楽、放送番組等のデータを格納することができる。また制御部５６は、当該ＨＤＤに格納された画像や音楽、放送番組等のデータを読み出して、映像表示器１４に表示させたり、スピーカ１５から音声出力させたりすることができる。ＬＡＮ対応ＨＤＤ専用ポートとしての第１のＬＡＮ端子２１を設けることにより、他のネットワーク環境やネットワーク使用状況等に影響されることなく、当該ＨＤＤに対してハイビジョン画質による番組の情報記録を安定して行なうことが可能となる。
【００２５】
第２のＬＡＮ端子２２は、通信Ｉ／Ｆ６５を介して制御部５６に接続されている。第２のＬＡＮ端子２２は、イーサネット（登録商標）を用いた一般的なＬＡＮ対応ポートとして使用される。この第２のＬＡＮ端子２２には、例えばハブを用いて、ＬＡＮ対応のＨＤＤ、ＰＣ（Personal Computer）、ＨＤＤ内蔵のＤＶＤ（Digital Versatile Disk）レコーダ等の機器が接続される。第２のＬＡＮ端子２２に接続された機器及び制御部５６は、通信Ｉ／Ｆ６５を介して情報の伝達を行なうことができる。第２のＬＡＮ端子２２にハブを介してブロードバンドルータが接続されている場合、制御部５６は、当該ブロードバンドルータを介して例えばインターネット等のネットワークに接続することができる。このネットワークにはＰＣや携帯電話等が接続され、放送受信装置１１との間で情報の伝達を行なうことができる。
【００２６】
通信Ｉ／Ｆ６５を介して制御部５６に接続されるＨＤＤ、ＰＣ、ＤＶＤレコーダ等の機器には、ハードディスクやＤＶＤ（光ディスク）等の記憶媒体を装着することが可能である。制御部５６は、当該記憶媒体に、ハブ及び当該ハブに接続される機器を介して画像や音楽、放送番組等のデータを格納することができる。また制御部５６は、当該記憶媒体に格納された画像や音楽、放送番組等のデータを読み出して、映像表示器１４に表示させたり、スピーカ１５から音声出力させたりすることができる。
【００２７】
ＵＳＢ（Universal Serial Bus）端子２３は、ＵＳＢ Ｉ／Ｆ６６を介して制御部５６に接続されている。ＵＳＢ端子２３は、一般的なＵＳＢ対応ポートとして使用される。ＵＳＢ端子２３には、例えばハブを介して、携帯電話、デジタルカメラ、メモリカードに対するカードリーダ／ライタ、ＨＤＤ、キーボード等が接続される。制御部５６は、ＵＳＢ端子２３を介して接続される機器との間で、情報の伝達を行うことができる。
【００２８】
ｉ．Link端子２４は、ｉ．Link Ｉ／Ｆ６７を介して制御部５６に接続されている。ｉ．Link端子２４には、例えばＡＶ−ＨＤＤ、Ｄ（Digital）−ＶＨＳ（Video Home System）等がシリアル接続される。制御部５６は、ｉ．Link端子２４及びｉ．Link Ｉ／Ｆ６７を介して接続される機器との間で、情報の伝達を行うことができる。
【００２９】
次に、前記構成による放送受信装置１１の動作について説明する。
【００３０】
本実施の形態に係る放送受信装置１１では、様々なコンテンツ（ＯＳＤ画面、電子番組表、ウェブページ、アンテナ４３又はアンテナ４８によって受信した放送番組、ネットワークを介して配信された番組、映像データ等）を１つのウィンドウ内で表示し、タブを用いて切り替える。このため、コンテンツごとにウィンドウを作成して表示する場合に比べて、メモリやシステムリソースを節約できる。また、表示中のウィンドウをいったん閉じてから、新たに予約番組表示用のウィンドウを開くといった処理も不要である。このため、表示中のウィンドウの終了処理に時間がかかって、予約番組の視聴又は録画の開始が遅れてしまうこともない。
【００３１】
ユーザは所望の番組（アンテナ４３又はアンテナ４８によって受信した放送番組、あるいはネットワークを介して配信された番組）の視聴又は録画が、当該所望の番組の開始時刻に自動的に開始されるよう予約設定を行うことができる。視聴予約又は録画予約がなされた番組を以後予約番組（予約コンテンツ）と称する。予約番組のデータは、図２に示すような予約テーブル２００に格納され、不揮発性メモリ５９（又はＲＡＭ５８）に保持される。予約テーブル２００は、第１のメモリカード１９等に保持されてもよい。予約テーブル２００には、予約処理の内容、予約番組の放送チャンネル、放送開始時刻、放送終了時刻、番組データを記憶する記憶媒体、番組名等のデータが格納される。
【００３２】
図３は、放送受信装置１１によるコンテンツ表示処理を示すフローチャートである。
【００３３】
図４は、タブ設定テーブル３００に記憶されるタブデータのデータ内容の一例を示す図である。図５は、図４に示すタブ設定テーブル３００に基づいて映像表示器１４に表示される表示画面の一例を示す図である。タブ設定テーブル３００は、不揮発性メモリ５９（またはＲＡＭ５８）に記憶されている。
【００３４】
図３に示すコンテンツ表示処理が開始されると、制御部５６はタブ設定テーブル３００に記憶されているタブデータを読み出し（ブロックＡ１）、読み出したタブデータに基づく表示画面を映像表示器１４に表示させる（ブロックＡ２）。
【００３５】
映像表示器１４の表示領域１００上には、図５に示すように、ウィンドウ１０１が設けられている。当該ウィンドウ１０１内のコンテンツ表示領域１０２には、タブ設定テーブル３００の設定に基づいて、種々のコンテンツを表示することができる。図４に示すように、タブ設定テーブル３００には、タブＴｉごとにタブデータが記憶されている。タブデータには、コンテンツ、表示設定、録画設定、及びタブデータの設定日時、また後述する削除禁止設定等の設定データが含まれる。ウィンドウ１０１内のタブ表示領域１０３には、ｎ個のタブＴｉ（ｉ＝１，２，…，ｎ）が並列に表示可能である。ただし、タブ設定テーブル３００において対応するコンテンツが設定されていないタブは、表示されない。コンテンツ表示領域１０２には、タブ設定テーブル３００において表示設定がＯＮになっているタブに対応するコンテンツが表示される。また、タブ表示領域１０３に表示されたタブ上には、対応するコンテンツを示す文字情報（あるいはアイコン等）が重ねて表示される。タブ表示領域１０３に表示可能なタブの数ｎは、予め設定されている。
【００３６】
タブＴｉに対応するコンテンツが放送番組である場合には、当該放送番組の録画を開始する際には、タブ設定テーブル３００においてタブＴｉに対応する録画設定がＯＮとなり、録画を終了する際にはＯＦＦ（−）となる。
【００３７】
図４に示す設定テーブルでは、タブＴ１〜Ｔ３に対応して、メニュー画面、電子番組表、ウェブページが表示コンテンツとして設定されている。従って、図５に示すように、タブ表示領域１０３にタブＴ１〜Ｔ３が表示される。図４に示すタブ設定テーブル３００では、タブＴ３の表示設定がＯＮになっている。このため、タブＴ３に対応する表示コンテンツであるウェブページが、コンテンツ表示領域１０２に表示される。
【００３８】
制御部５６は、本コンテンツ表示処理の終了が指示されたかを判断する（ブロックＡ３）。コンテンツ表示処理の終了が指示されていれば（ブロックＡ３でＹＥＳ）、処理を終了する。
【００３９】
コンテンツ表示処理の終了が指示されていなければ（ブロックＡ３でＮＯ）、制御部５６は予約視聴・録画処理の開始時刻（予約時刻）となったか否かを判断する（ブロックＡ４）。この予約時刻は、ユーザが視聴又は録画を予約した番組（予約番組）の配信開始時刻よりも所定時間（例えば１分）だけ早い。予約時刻が到来したら（ブロックＡ４でＹＥＳ）、制御部５６は図６に示す予約視聴／録画処理を実行する（ブロックＡ５）。この予約視聴／録画処理の実行が終了したら、ブロックＡ３の処理に戻る。
【００４０】
予約番組が設定されていない場合、あるいは予約時刻が到来していない場合（ブロックＡ４でＮＯ）、制御部５６は、現在録画中の番組があるか否かを判断する（ブロックＡ６）。すなわち、制御部５６は、上述のタブ設定テーブル３００において、録画設定がＯＮになっているタブＴｒ（録画タブ）があるかどうかを判断する。
【００４１】
録画中の番組があれば、すなわちタブ設定テーブル３００において録画設定がＯＮになっている録画タブＴｒがあれば（ブロックＡ６でＹＥＳ）、制御部５６は、ユーザによるタブの選択操作があったか否かを判断する（ブロックＡ７）。ユーザは、操作部１６あるいはリモートコントローラ１７に備えられたカーソルキー等を操作して、タブ表示領域１０３に表示されたいずれかのタブを選択することができる。タブの選択が行われない場合は（ブロックＡ７でＮＯ）、ブロックＡ９の処理に進む。タブの選択が行われた場合（ブロックＡ７でＹＥＳ）、制御部５６は、図９に示す表示切り替え処理を実行する（ブロックＡ８）。
【００４２】
続いて制御部５６は、録画を終了するか否かを判断する（ブロックＡ９）。録画を終了しない場合は（ブロックＡ９でＮＯ）、ブロックＡ３の処理に戻る。一方、録画中の予約番組の終了時刻となった場合、あるいはユーザが操作部１６又はリモートコントローラ１７の操作によって録画の終了を指示した場合（ブロックＡ９でＹＥＳ）、タブ設定テーブル３００において当該録画タブＴｒの録画設定をＯＦＦ（−）として録画を終了する（ブロックＡ１０）。番組録画が終了したら、ブロックＡ３の処理に戻る。
【００４３】
一方、録画中の放送番組がない場合、すなわち録画設定がＯＮになっている録画タブＴｒがタブ設定テーブル３００に設定されていない場合（ブロックＡ６でＮＯ）、制御部５６は、ユーザによるタブの選択操作があったか否かを判断する（ブロックＡ１１）。ユーザは、操作部１６あるいはリモートコントローラ１７に備えられたカーソルキー等を操作して、タブ表示領域１０３に表示されたいずれかのタブを選択することができる。タブの選択が行われない場合は（ブロックＡ１１でＮＯ）、ブロックＡ１３の処理に進む。タブの選択が行われた場合（ブロックＡ１１でＹＥＳ）、制御部５６は、コンテンツ表示領域１０２の表示を切り替えて、選択されたタブに応じた表示コンテンツを表示する（ブロックＡ１２）。
【００４４】
ここでユーザは、コンテンツ表示領域１０２に表示されているコンテンツに応じた操作を行うことができる（ブロックＡ１３）。例えばメニュー画面が表示されていれば、各種の設定操作を行うことができる。また電子番組表が表示されている場合は、視聴する番組の選択や、番組の視聴予約、録画予約を行うことができる。放送又はネットワークを介して配信される番組が表示されている場合には、当該番組の録画を指示する等の操作を行うことができる。
【００４５】
図６は、放送受信装置１１による予約視聴／録画処理を示すフローチャートである。
【００４６】
この予約視聴／録画処理は、上述のコンテンツ表示処理（図３参照）のブロックＡ４で、予約視聴／録画処理の開始時刻（予約時刻）になったと判断された場合に（ブロックＡ４でＹＥＳ）、制御部５６によって実行される（ブロックＡ５）。予約時刻は、ユーザが設定した予約番組の配信開始時刻よりも、所定時間（例えば１分）だけ早い。
【００４７】
予約視聴／録画処理が開始されると、制御部５６は、タブ表示領域１０３に新たにタブを表示することが可能であるかを判断する（ブロックＢ１）。タブ表示領域１０３にｎ個のタブが既に表示されていれば、これ以上新たなタブを表示することはできない（ブロックＢ１でＮＯ）。新たなタブをタブ表示領域１０３に表示することができない場合、制御部５６は、タブ設定テーブル３００から不要なタブデータを削除する（ブロックＢ２）。この不要なタブデータの削除は、例えばタブデータが設定された日時が古い方から順に行われる。ただし、メニュー画面や電子番組表等の閲覧頻度の高い表示コンテンツは、削除されてしまうとユーザの使い勝手が悪くなる。このように設定日時が古くても削除すべきではないタブデータについては、予めユーザが手動で、あるいは制御部５６が自動で削除を禁止しておくことができる。タブデータの削除が禁止されているタブは、タブ表示領域１０３に常に表示されることになる。上述のタブ設定テーブル３００では、タブデータの削除が禁止されているタブの削除禁止設定はＯＮになっている。従って、制御部５６は、削除禁止設定がＯＮになっていないタブのなかから、タブデータの設定日時が最も古いタブを検出し、当該検出されたタブのタブデータを削除する。
【００４８】
タブ表示領域１０３に表示されていないタブＴｓ（新規タブ）がある場合（ブロックＢ１でＹＥＳ）、あるいはブロックＢ２においてタブデータの削除がなされたタブＴｓ（新規タブ）がある場合には、この新規タブＴｓをタブ表示領域１０３に表示することが可能である。制御部５６は、新規タブＴｓについて新たなタブデータを設定し、新規タブＴｓをタブ表示領域１０３に追加表示する（ブロックＢ３）。すなわち、新規タブＴｓに対応する表示コンテンツとして当該予約番組が設定される。設定されたタブデータは、設定日時とともにタブ設定テーブル３００に記憶される。また、制御部５６は、当該新規タブＴｓをタブ表示領域１０３に追加して表示させる。その後、制御部５６は、映像表示器１４にメッセージを表示し、予約番組の視聴又は録画が開始される旨をユーザに通知する（ブロックＢ４）。メッセージは、表示中の表示コンテンツに重ねて表示してもよいが、ポップアップウィンドウなどを用いて表示してもよい。そして、制御部５６は予約番組の配信開始時刻を待つ（ブロックＢ５）。
【００４９】
予約番組の開始時間になったら（ブロックＢ５でＹＥＳ）、予約番組の視聴のみを行う場合には（ブロックＢ６でＮＯ）、ブロックＢ８の処理に進む。予約番組の録画を行う場合には（ブロックＢ６でＹＥＳ）、制御部５６は、上述の新規タブＴｓの録画設定をＯＮにして、当該予約番組の録画を開始する（ブロックＢ７）。録画設定がＯＮとなったタブは録画タブＴｒと称する。録画の際には、当該予約番組の番組データが所定の記憶媒体に記憶される。
【００５０】
続いて制御部５６は、当該新規タブＴｓ（又は録画タブＴｒ）の表示設定をＯＮにし、コンテンツ表示領域１０２の表示を切り替えて、当該予約番組（予約コンテンツ）を表示させ（ブロックＢ８）、コンテンツ表示処理（図３参照）に復帰する。
【００５１】
図７は、上述の予約視聴／録画処理によってタブデータが更新されたタブ設定テーブル３００のデータ内容の一例を示す図である。予約視聴／録画処理によって、図２の予約テーブル２００に示す予約番組１の予約録画が開始されると、図４に示すタブ設定テーブル３００は更新されて、図７に示すようになる。すなわち、タブＴ４の録画設定がＯＮになり、予約番組のデータは所定の記憶媒体（通信Ｉ／Ｆ６４を介して制御部５６に接続されるＨＤＤ）に記憶される。また、タブＴ４の表示設定もＯＮとなる。図８は、図７に示すタブ設定テーブル３００に基づいて映像表示器１４に表示される表示画面の一例を示す図である。タブＴ４がタブ表示領域１０３に表示され、タブＴ４に対応する予約コンテンツ（予約番組）がコンテンツ表示領域１０２に表示されている。
【００５２】
図９は、放送受信装置１１による表示切り替え処理を示すフローチャートである。
【００５３】
この表示切り替え処理は、上述のコンテンツ表示処理（図３参照）において、現在録画中の番組がある、すなわちタブ設定テーブル３００に録画設定がＯＮになっているタブ（録画タブ）Ｔｒがあると判断されたうえで（ブロックＡ６でＹＥＳ）、ユーザがタブの選択を行った場合に（ブロックＡ７でＹＥＳ）、制御部５６によって実行される（ブロックＡ８）。例えば上述の予約視聴／録画処理によって、予約番組の録画が開始され、タブＴｒの録画設定がＯＮになっていれば、ブロックＡ６での判断結果は「ＹＥＳ」となる。ユーザによるタブの選択が行われると（ブロックＡ７でＹＥＳ）、制御部５６は、以下のような切り替え処理を実行する。
【００５４】
制御部５６は、ユーザが録画タブから他のタブへの切り替えを指示したか否かを判断する（ブロックＣ１）。すなわち、図８に示すような録画タブＴｒに対応する表示コンテンツ（録画番組）がコンテンツ表示領域１０２に表示された状態で、ユーザが録画タブＴｒ以外のタブを選択したか否かを判断する。録画タブＴｒから他のタブへの切り替えが指示された場合には（ブロックＣ１でＹＥＳ）、制御部５６は、番組データのどこまでをすでにコンテンツ表示領域１０２に表示し終えたか（どこまでをすでに視聴したか）を示す表示中断情報を不揮発性メモリ５９（又はＲＡＭ５８）の所定の記憶領域に記憶する（ブロックＣ２）。制御部５６は、コンテンツ表示領域１０２の表示を切り替えて、選択されたタブに応じた表示コンテンツを表示する（ブロックＣ３）。すなわち、制御部５６は、タブ設定テーブル３００において、当該録画タブＴｒの表示設定をＯＦＦにし、ユーザによって選択されたタブの表示設定をＯＮにする。
【００５５】
例えば、図８に示すように、録画中の予約番組（録画タブＴ４に対応）がコンテンツ表示領域１０２に表示されている状態で、ユーザがタブＴ２を選択すると、タブ設定テーブル３００の設定は図１０に示すように更新される。録画タブＴ４の表示設定はＯＦＦとなり、選択されたタブ２の表示設定がＯＮとなる。図１１は、図１０に示すタブ設定テーブル３００に基づいて映像表示器１４に表示される表示画面の一例を示す図である。選択されたタブＴ２に対応する表示コンテンツ（電子番組表）がコンテンツ表示領域１０２に表示されている。
【００５６】
一方、ユーザが選択したタブが録画タブＴｒである場合（ブロックＣ１でＮＯ，Ｃ４でＹＥＳ）、制御部５６は、録画中の番組についての表示中断情報が不揮発性メモリ５９（又はＲＡＭ５８）に記憶されているか否かを判断する（ブロックＣ５）。表示中断情報が記憶されている場合（ブロックＣ５でＹＥＳ）、制御部５６は追っかけ再生モードが設定されているか否かを判断する（ブロックＣ６）。追っかけ再生モードでは、どこから視聴を再開するかを示す上述の表示中断情報に基づいて、未視聴の箇所から視聴を再開することができる。ユーザは予め追っかけ再生モードを設定しておくことができる。あるいは操作部１６またはリモートコントローラ１７の操作によって、追っかけ再生モードの設定をブロックＣ６において行えるようにしてもよい。
【００５７】
追っかけ再生モードが設定されている場合（ブロックＣ６でＹＥＳ）、制御部５６は、当該表示中断情報が示す箇所から録画番組データの再生を開始し、コンテンツ表示領域１０２の表示を切り替えて、再生された録画番組データを表示させる（ブロックＣ７：追っかけ再生）。表示中断情報が設定されていない場合（ブロックＣ５でＮＯ）、あるいは追っかけ再生モードが設定されていない場合（ブロックＣ６でＮＯ）は、通常の再生処理が行われる（ブロックＣ８）。すなわち、放送あるいはネットワークを介して受信された番組データがそのままコンテンツ表示領域１０２に表示される。
【００５８】
ユーザが録画タブＴｒ以外のタブ間でのタブの切り替えを指示した場合（ブロックＣ１及びＣ４でＮＯ）、制御部５６は、コンテンツ表示領域１０２の表示を切り替えて、選択されたタブに応じた表示コンテンツを表示する（ブロックＣ９）。
【００５９】
ここでユーザは、コンテンツ表示領域１０２に表示されているコンテンツに応じた操作を行うことができる（ブロックＣ１０）。例えばメニュー画面が表示されていれば、各種の設定操作を行うことができる。また電子番組表が表示されている場合は、視聴する番組の選択や、番組の視聴予約、録画予約を行うことができる。放送又はネットワークを介して配信される番組が表示されている場合には、当該番組の録画を指示する等の操作を行うことができる。
【００６０】
録画実行中にユーザがタブの選択を行った場合、この表示切り替え処理が実行されて、ユーザの選択に応じたコンテンツがコンテンツ表示領域１０２に表示される。選択に応じた表示が行われたら、コンテンツ表示処理（図３参照）に復帰する。
【００６１】
以上のように、本実施形態においては、映像表示器１４の表示領域１００に１つのウィンドウ１０１が設けられる。ウィンドウ１０１内のコンテンツ表示領域１０２には配信された番組データを含む複数のコンテンツを表示することができる。また、ウィンドウ１０１内のタブ表示領域１０３にはｎ個のタブを表示することができる。表示されたタブのうちいずれかがユーザによって選択されると、選択に応じた表示コンテンツがコンテンツ表示領域１０２に表示される。すなわち、ユーザは、タブを選択することで、コンテンツ表示領域１０２に表示されるコンテンツを切り替えることができる。
【００６２】
また、視聴予約又は録画予約がなされた予約番組の配信開始時刻により所定時間だけ早い予約時間になると、制御部５６は、タブ表示領域に新規タブＴｓを表示する。また、当該予約番組の配信開始時刻になると、制御部５６は、コンテンツ表示領域１０２に予約コンテンツとして当該予約番組を表示させる。予約番組の表示のために新たにウィンドウを生成しないため、メモリやシステムリソースの消費量を無駄にすることがない。さらに表示中のウィンドウをいったん閉じてから、新たに予約番組表示用のウィンドウを開くといった処理も不要である。このため、表示中のウィンドウの終了処理に時間がかかって、予約番組の視聴又は録画の開始が遅れてしまうこともない。
【００６３】
番組の録画を実行中であっても、タブの選択によって、コンテンツ表示領域１０２に表示される表示コンテンツを切り替えることができる。切り替える際には、番組データのどこまでをすでにコンテンツ表示領域１０２に表示し終えたか（どこまでをすでに視聴したか）を示す表示中断情報が、不揮発性メモリ５９（又はＲＡＭ５８）の所定の記憶領域に記憶される。従って、コンテンツ表示領域１０２に表示されるコンテンツが、録画番組以外のコンテンツから録画中の番組へ切り替えられた場合には、当該表示中断情報に基づいて追っかけ再生を行うことができる。表示中断情報は、予約番組のデータとともに、所定の記憶媒体（例えば通信Ｉ／Ｆ６４を介して制御部５６に接続されるＨＤＤ）に記憶されてもよい。
【００６４】
本実施形態においては、コンテンツ表示領域１０２に表示される表示コンテンツには、たとえばメニュー画面や電子番組表等が含まれていた。メニュー画面では、放送受信装置１１や上述のコンテンツ表示処理に関する設定を行うことができる。ユーザが上述のコンテンツ表示処理においてメニュー画面に対応するタブを選択すると（ブロックＡ７又はＡ１１）、コンテンツ表示領域１０２には所定のメニュー画面が表示される。ユーザはこのメニュー画面上のガイダンス表示に従って、タブ表示領域１０３に表示可能なタブの数ｎの設定や、追っかけ再生モードの設定、データの削除を禁止するタブ（タブ表示領域１０３に常時表示させるタブ）の指定を行うことができる。
【００６５】
また、ユーザは電子番組表によって、所望の番組の視聴予約又は録画予約を行うことができる。ユーザが上述のコンテンツ表示処理において電子番組表に対応するタブの選択を行うと（ブロックＡ７又はＡ１１）、コンテンツ表示領域１０２には、図１１に示すように、電子番組表が表示される（ブロックＡ１２，Ｃ３又はＣ９）。制御部５６は、アンテナ４３又は４８によって受信されるデジタル放送信号から、あるいはネットワークを介して、番組表情報を取得することができる。ＯＳＤ信号生成部５４は、取得した番組表情報に基づいて電子番組表の画面データを生成する。当該生成された電子番組表の画面データが、コンテンツ表示領域１０２に表示され、ユーザはこの電子番組表画面に含まれるガイダンスに従って、所望の番組の視聴予約又は録画予約を行うことができる。設定された予約番組のデータは、予約テーブルに（図２参照）に格納される。予約テーブルには、予約処理の内容、予約番組の放送チャンネル、放送開始時刻、放送終了時刻、番組データを記憶する記憶媒体、番組名等のデータが格納される。
【００６６】
コンテンツ表示領域１０２には、さらに他のアプリケーションの表示画面等を表示することもできる。ユーザによって、アプリケーションの起動が指示されると、上述の予約視聴／録画処理（図６参照）のブロックＢ１〜Ｂ３と同様の処理によって、新規タブＴｓのデータが設定される。新規タブＴｓに対応するコンテンツとして当該アプリケーションの表示画面が設定され、表示設定がＯＮとなり、これらの設定データは、設定日時とともにタブ設定テーブル３００に記憶される。そしてコンテンツ表示領域１０２には、当該アプリケーションの表示画面が表示され、タブ表示領域１０２には、新規タブＴｓが表示される。例えば電子メール作成用のアプリケーションが起動された場合、電子メール作成画面がコンテンツ表示領域１０２に表示され、対応する新規タブＴｓがタブ表示領域１０３に表示される。この場合、上述のコンテンツ表示処理（図３参照）によって、ユーザはメールの作成中であっても、タブを選択することで、放送番組を視聴したり、ウェブページを閲覧したりすることができる。また、メールの作成中であっても、メール作成画面を閉じたり、メール作成処理を終了させることなく、視聴予約又は録画予約された予約番組（予約コンテンツ）をコンテンツ表示領域１０２に表示することが可能になる。
【００６７】
また、本実施の形態においては、放送あるいはネットワークを介して配信される番組の視聴又は録画が予約されている場合の処理（予約視聴／録画処理）について説明した。しかしながら、配信番組以外にも、アプリケーションの開始時刻を予め設定しておいて、当該開始時刻となったら、上述の予約視聴／録画処理と同様に、新規タブＴｓをタブ表示領域１０３に表示し、当該アプリケーションの表示画面を予約コンテンツとして、コンテンツ表示領域１０２に表示するようにしてもよい。
【００６８】
本実施の形態においては、タブ表示領域１０３に表示されるタブの数はｎ個に制限されていた。しかしながら、表示可能なタブの数を制限しなくてもよい。タブ表示領域に表示されるタブの数が所定の数を越えたら、複数のタブを重ねて表示するようにしてもよい。この場合、上述の予約視聴／録画処理（図６参照）のブロックＢ１及びＢ２の処理が不要になる。
【００６９】
上述の予約視聴／録画処理（図６参照）では、予約番組の開始時刻になったら、コンテンツ表示領域１０２に予約番組が表示された。しかしながら、予約開始時刻になっても、コンテンツ表示領域１０２に予約番組を表示させないようにしてよい。この場合でも、ブロックＢ３の処理によってタブ表示領域１０３に新規タブＴｓが表示されている。この新規タブＴｓをユーザが選択したら、当該予約番組をコンテンツ表示領域１０２に表示させるようにしてもよい。
【００７０】
本実施の形態では、映像表示器１４の表示領域１００に１つのウィンドウ１０１が表示された。しかしながら、表示領域１００には、複数のウィンドウが表示されてもよく、複数のウィンドウそれぞれにおいて、コンテンツ表示領域１０２及びタブ表示領域１０３が設けられ、図３に示すコンテンツ表示処理が行われてもよい。
【００７１】
本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７２】
【図１】本発明によるコンテンツ表示装置の実施形態に係る放送受信装置の電気的構成を示すブロック図。
【図２】予約テーブルに記憶される予約番組データの一例を示す図。
【図３】前記放送受信装置によるコンテンツ表示処理を示すフローチャート。
【図４】タブ設定テーブルに記憶されるタブデータの一例を示す図。
【図５】タブデータに基づいて映像表示器に表示される表示画面の一例を示す図。
【図６】前記放送受信装置による予約視聴／録画処理を示すフローチャート。
【図７】タブ設定テーブルに記憶されるタブデータの他の一例を示す図。
【図８】タブデータに基づいて映像表示器に表示される表示画面の他の一例を示す図。
【図９】前記放送受信装置による表示切り替え処理を示すフローチャート。
【図１０】タブ設定テーブルに記憶されるタブデータの他の一例を示す図。
【図１１】タブデータに基づいて映像表示器に表示される表示画面の他の一例を示す図。
【符号の説明】
【００７３】
１１…放送受信装置、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、６８…アナログチューナ、６９…アナログ復調器、１００…表示領域、１０１…ウィンドウ、１０２…コンテンツ表示領域、１０３…タブ表示領域、２００…予約テーブル、３００…タブ設定テーブル
【図１】
2009016966.tif 000003
【図２】
2009016966.tif 000004
【図３】
2009016966.tif 000005
【図４】
2009016966.tif 000006
【図５】
2009016966.tif 000007
【図６】
2009016966.tif 000008
【図７】
2009016966.tif 000009
【図８】
2009016966.tif 000010
【図９】
2009016966.tif 000011
【図１０】
2009016966.tif 000012
【図１１】
2009016966.tif 000013